(57)【要約】【課題】  本やノートなどの冊子状の商品に使用する商品管理用タグにおいて、商品を販売する際には商品管理用タグを再利用するために商品から簡単に取り外しすることができると共に、店頭で顧客が、本やノートなどの冊子状の商品を手にとって立ち読みしたり、品定めなどした場合でも商品に添付された商品管理用タグが不必要に落ちてなくなることを防止した商品管理用タグを提供する。【解決手段】  合成樹脂製の基材シートが折り部から二つに折り曲げられた形状を有する商品管理用タグであって、前記折り曲げられてなる基材シートには、前記折り部に沿って重なり合う基材シート同士がウェルダー加工により熱溶着された接着部が設けられていると共に、前記基材シートの所定部分に非接触ＩＣタグが備えられている。【選択図】        図1
2007102047.tif 000002
【特許請求の範囲】
【請求項１】
合成樹脂製の基材シートが折り部から二つに折り曲げられた形状を有する商品管理用タグであって、
前記折り曲げられてなる基材シートには、前記折り部に沿って重なり合う基材シート同士がウェルダー加工により熱溶着された接着部が設けられていると共に、前記基材シートの所定部分に非接触ＩＣタグが備えられていることを特徴とする商品管理用タグ。
【請求項２】
前記接着部が、前記折り部に平行に設けられていることを特徴とする請求項１記載の商品管理用タグ。
【請求項３】
前記接着部が、前記折り部に沿って間隔をあけて複数箇所に設けられていることを特徴とする請求項１記載の商品管理用タグ。
【発明の詳細な説明】
【技術分野】
【０００１】
本発明は、合成樹脂製の基材シートが折り部から二つに折り曲げられた形状を有する商品管理用タグに関する。
【背景技術】
【０００２】
従来、種々の商品管理を行うために商品管理用タグを商品に添付することが行われている。
例えば、書店などにおいて、販売する本の販売情報、在庫情報、発注情報などの情報管理を行うために、二つ折り状態の冊子用のタグを本の頁に挟み込んで設けて、店員が販売時にそのタグを本から取り外し、その後、そのタグに設けられた固有情報を入力することで、本の販売情報、在庫情報、発注情報などをコンピュータにより管理できるようにしてある。
【０００３】
また、近年においては情報記憶媒体として非接触ＩＣタグが開発されたことから、非接触ＩＣタグなどのＲＦＩＤチップを設けた商品管理タグも公知となっており（例えば、特許文献１参照）、非接触リーダライタを用いてその非接触ＩＣタグに記憶された固有情報を短時間で効率的に読み取れるようにした技術も知られている。
非接触ＩＣタグに記憶される情報は、非接触リーダライタにより書き換えが可能であることから再利用も可能であり、これにより非接触ＩＣタグを備えた商品管理タグも一度使用後に回収し、新たな情報が書き込むことで、次の商品に添付して使用することもできる。
【特許文献１】特開２００４−２６４１４２号公報
【０００４】
しかしながら、書店で販売される本は、一般的に顧客が自由に立ち読みできることから、顧客が本を店頭で立ち読みした際に、本の頁に挟まれた状態の冊子用のタグが本の頁の間からうっかり外れて落ちてしまうことも考えられるという問題がある。
特に、本に添付された冊子用のタグは、二つ折り状態となっている場合が多く、本の販売時において店員が簡単に取り外しが可能であるという利点があるが、その反面、顧客の立ち読みの際にうっかり落としてなくしてしまいやすいという欠点もあるという問題がある。
【発明の開示】
【発明が解決しようとする課題】
【０００５】
そこで、本発明は、本やノートなどの冊子状の商品に使用する商品管理用タグにおいて、商品を販売する際には商品管理用タグを再利用するために商品から簡単に取り外しすることができると共に、店頭で顧客が、本やノートなどの冊子状の商品を手にとって立ち読みしたり、品定めなどした場合でも商品に添付された商品管理用タグが不必要に落ちてなくなることを防止した商品管理用タグを提供する。
【課題を解決するための手段】
【０００６】
本発明の商品管理用タグは、合成樹脂製の基材シートが折り部から二つに折り曲げられた形状を有する商品管理用タグであって、前記折り曲げられてなる基材シートには、前記折り部に沿って重なり合う基材シート同士がウェルダー加工により熱溶着された接着部が設けられていると共に、前記基材シートの所定部分に非接触ＩＣタグが備えられていることを特徴とする。
【０００７】
また、本発明の商品管理用タグは、前記接着部が、前記折り部に平行に設けられていることを特徴とする。
【０００８】
更に、本発明の商品管理用タグは、前記接着部が、前記折り部に沿って間隔をあけて複数箇所に設けられていることを特徴とする。
【発明の効果】
【０００９】
本発明の商品管理用タグは、重なり合う基材シート同士がウェルダー加工により熱溶着された接着部が設けられているので、本の用紙を、重なり合う２枚の基材シートの間に挟み込むことで、用紙が２枚の基材シート間にしっかりと確実に添付させることができ、商品を販売する際には再利用するために商品から簡単に取り外し可能であると共に、店頭で顧客が、それらの商品を手にとって立ち読みしたり、品定めなどした場合でも不必要に落ちてしまうことを防止することができるという効果がある。
【００１０】
また、本発明の商品管理用タグは、重なり合う基材シート同士がウェルダー加工により熱溶着された接着部が、基材シートの折り部に平行に設けられているので、商品管理用タグを本やノートなどの冊子状の商品に添付させる際に、冊子状の商品の上端部と基材シートの折り部とを平行な状態として、２枚の基材シート間に商品をしっかりと確実に添付させることができ、商品を販売する際には再利用するために商品から簡単に取り外し可能であると共に、店頭で顧客が、それらの商品を手にとって立ち読みしたり、品定めなどした場合でも不必要に落ちてしまうことを防止することができるという効果がある。
【００１１】
更に、本発明の商品管理用タグは、重なり合う基材シート同士がウェルダー加工により熱溶着された接着部が、基材シートの折り部に沿って間隔をあけて複数箇所に設けられているので、接着部を設ける箇所の数や位置を調節することで、個々の商品の厚さに適した商品管理用タグを提供することができ、２枚の基材シート間に商品をしっかりと確実に添付させることができ、商品を販売する際には再利用するために商品から簡単に取り外し可能であると共に、店頭で顧客が、それらの商品を手にとって立ち読みしたり、品定めなどした場合でも不必要に落ちてしまうことを防止することができるという効果がある。
【発明を実施するための最良の形態】
【００１２】
以下、本発明の実施形態に係る商品管理用タグについて、図面に基づいて詳細に説明する。
図１は、本発明の第１実施形態に係る商品管理用タグの平面図、図２は、図１のＡ−Ａ線断面図であり、図２（ａ）は、重なり合う基材シートの外側面に非接触ＩＣタグが貼付された状態を示す断面図、図２（ｂ）は、重なり合う基材シートの内側面に非接触ＩＣタグが貼付された状態を示す断面図、図３は、非接触ＩＣタグの平面図、図４は、本発明の第１実施形態に係る商品管理用タグを本に添付させた状態を示す斜視図、図５は、本発明の第１実施形態に係る商品管理用タグを本から取り出した状態を示す斜視図、図６は、本発明の第２実施形態に係る商品管理用タグの平面図、図７は、本発明の第３実施形態に係る商品管理用タグの平面図、図８は、図６のＢ−Ｂ線断面図である。
【００１３】
図１及び図２に示すように、本発明の第１実施形態に係る商品管理用タグ１は、ポリエチレンなどの合成樹脂製の基材シート２が折り部４から二つに折り曲げられた形状を有している。
この二つに折り曲げられた基材シート２は、折り部４から二つに折り曲げられたそれぞれの基材シート２の一方側が、長手方向に対して長くなるように形成され、その二つ折りされた基材シート２の間に本やノートなどの冊子状の商品を挟み込んで添付する際に、挟み込みやすく形成されている。
【００１４】
また、二つに折り曲げられた基材シート２には、接着剤層５により非接触ＩＣタグ３が貼付されている。
この非接触ＩＣタグ３は、図２（ａ）に示すように、重なり合う基材シートの外側面に貼付させてもよいし、また、図２（ｂ）に示すように、重なり合う基材シートの内側面に貼付させてもよい。
【００１５】
この非接触ＩＣタグ３は、例えば、非接触データキャリアやＲＦＩＤタグともいわれ、図３に示すように、プラスチック等の基材３１にコイルパターン３３が形成され、当該コイルと容量素子とにより共振回路を形成して一定周波数の電波を受信し送信することができるように構成されている。
一般的には、１３５ｋＨｚ（中波）、１３．５６ＭＨｚ、２．４５ＧＨｚ（マイクロ波）の周波数帯が使用される。
【００１６】
図示した例の場合、コイルパターン３３は、導通部材３４により基材３１の裏面でジャンピング回路を形成してコイル接続端子３３ＣによりＩＣチップ３２の裏面のバンプに接続している。
ＩＣチップ３２には、ＣＰＵとメモリとが備えられている。
メモリには、固有情報などの他、必要に応じて商品管理に必要な様々な情報を記憶することができる。
【００１７】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターンを形成し、ＩＣチップ３２を装着し、保護用の被覆を設けることにより形成することができる。
その大きさも３０ｍｍ×３０ｍｍ程度以下のサイズとすることができる。
【００１８】
非接触ＩＣタグ３に使用する樹脂基材としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１９】
これらの非接触ＩＣタグ３に記録した情報の読み取りは、リーダライタから非接触ＩＣタグ３に対して共振する呼び出し信号を発信し、非接触ＩＣタグ３からの応答信号を読み、且つ非接触ＩＣタグ３のＩＣチップ３２のメモリに記録された情報を読み取ることで行なわれる。
【００２０】
また、本発明の商品管理用タグ１は、２つに折り曲げられてなる基材シート２の折り部４に沿って、重なり合う基材シート２同士がウェルダー加工により熱溶着された接着部６が設けられている。
この接着部６は、基材シート２の折り部４と平行に横方向に直線的に設けられており、重なり合う基材シート２同士がウェルダー加工により熱溶着されているので、熱溶着されている部分の基材シート２同士の密着された部分と、熱溶着されていない部分とが極めて鋭角的に形成されるように構成されている。
これにより、２つに折り曲げられてなる基材シート２の間に、本やノートなどの冊子状の商品を挟み込んだ際に、その挟み込んだ商品が熱溶着された部分に近づくにしたがって、重ねられた基材シート２同士が商品に対して双方向から圧力を加え、２枚の基材シート間に商品をしっかりと確実に挟み込むことができるようになっている。
【００２１】
図４及び図５には、本発明の商品管理用タグ１を本７に取り付けた状態及び取り外した状態とが示されている。
図４に示す例では、本７の表紙７ａの上方から、商品管理用タグ１の２つに折り曲げられてなる基材シート２の間に、本７の表紙７ａが挟み込まれて添付されている。
表紙７ａの外側には、基材シート２の非接触ＩＣタグ３が貼付されている側の部分がくるように、表紙７ａに基材シート２が挟み込まれているので、非接触ＩＣタグ３が非接触リーダライタからの信号を受信しやすい。
また、２つに折り曲げられてなる基材シート２は、ウェルダー加工により熱溶着された接着部６に近くなるにしたがって、重なり合う基材シート２同士の間隔が狭まっている状態であるために、本７の表紙７ａに対して２つに折り曲げられてなる基材シート２を挟み込んで差し込むことで、より確実に表紙７ａに非接触ＩＣタグ３を添付させることができるようになっている。
【００２２】
本の表紙７ａには、表紙７ａを挟んで２つに折り曲げられてなる基材シート２の双方向から圧力が加わっているので、２枚の基材シート間で表紙７ａがしっかりと確実に挟み込まれ、簡単には落ちない状態で添付されている。
【００２３】
また、本７が販売されるなどして、店員が、本７の表紙７ａに添付されている商品管理用タグ１を取り外す場合には、図５に示すように、基材シート２の折り部４付近を摘んで持ち上げることで、簡単に本７の表紙７ａから商品管理用タグ１を取り外すことができる。
これにより、商品管理用タグ１は、顧客が立ち見などで本を持って頁をめくるなどしたた際には、簡単に外れにくいものの、店員が必要に応じて取り外す際には自由に取り外すことができるようにしてある。
【００２４】
次に、本発明の第２実施形態に係る商品管理用タグ１０について、図６と図８に基づいて説明する。
第２実施形態に係る商品管理用タグ１０は、ウェルダー加工により熱溶着された接着部６が、２つに折り曲げられてなる基材シート２の折り部４に沿って平行に設けられた構成を有している。
また、折り部４と接着部６との間の間隔は、３〜１０ｍｍ程度あけておくことが好ましい。
図８に示すように、折り部４と接着部６との間の間隔をあけておくことで、折り部４の基材シート２が折り目により切れてしまうことを防止することができる。
そして、商品管理用タグ１０の２つに折り曲げられてなる基材シート２の間に、本やノートなどの冊子状の商品８を入れて挟み込む際に、挟み込んだ商品８の先端部分がウェルダー加工により熱溶着された接着部６に近づくにつれて、重ねられた基材シート２の間隔がしだいに狭い状態となっていることから、商品管理用タグ１０を商品８に確実に付けることができるように構成されている。
【００２５】
次に、本発明の第３実施形態に係る商品管理用タグ２０について、図７に基づいて説明する。
第３実施形態に係る商品管理用タグ２０は、ウェルダー加工により熱溶着された接着部６が、２つに折り曲げられてなる基材シート２の折り部４に沿って平行に間隔をあけて複数箇所に設けられている。
図７には、別々に形成された２つの接着部６が設けられている商品管理用タグ２０が示されている。
【図面の簡単な説明】
【００２６】
【図１】本発明の第１実施形態に係る商品管理用タグの平面図である。
【図２】図１のＡ−Ａ線断面図であり、図２（ａ）は、重なり合う基材シートの外側面に非接触ＩＣタグが貼付された状態を示す断面図、図２（ｂ）は、重なり合う基材シートの内側面に非接触ＩＣタグが貼付された状態を示す断面図である。
【図３】非接触ＩＣタグの平面図である。
【図４】本発明の第１実施形態に係る商品管理用タグを本に添付させた状態を示す斜視図である。
【図５】本発明の第１実施形態に係る商品管理用タグを本から取り出した状態を示す斜視図である。
【図６】本発明の第２実施形態に係る商品管理用タグの平面図である。
【図７】本発明の第３実施形態に係る商品管理用タグの平面図である。
【図８】図６のＢ−Ｂ線断面図である。
【符号の説明】
【００２７】
１，１０，２０  商品管理用タグ
２  基材シート
３  非接触ＩＣタグ
４  折り部
５  接着剤層
６  接着部
７  本
７ａ  表紙
８  商品
３１  基材
３２  ＩＣチップ
３３  コイルパターン
３３Ｃ  コイル接続端子
３４  導通部材
【図１】
2007102047.tif 000003
【図２】
2007102047.tif 000004
【図３】
2007102047.tif 000005
【図４】
2007102047.tif 000006
【図５】
2007102047.tif 000007
【図６】
2007102047.tif 000008
【図７】
2007102047.tif 000009
【図８】
2007102047.tif 000010